(57)【要約】  データ多重化装置、方法及び通信システムが提供される。データ多重化方法は、データ多重化を行う必要がある論理チャネルについて、該論理チャネルがサポートする複数の物理層リソースの優先度に従って、複数の物理層リソースのうちからデータを多重化する物理層リソースを確定し；及び、前記論理チャネルのデータを、確定された物理層リソースに多重化する。これにより、ユーザ装置において伝送する必要のある複数のトラフィック類型のデータが存在するときに、ユーザ装置のリソースに対しての使用と、ネットワーク装置のスケジューリング・インテンションとの一致性を確保することができる。
2019537375.tif 000002
【特許請求の範囲】
【請求項１】
データ多重化装置であって、
データ多重化を行う必要がある論理チャネルについて、前記論理チャネルがサポートする複数の物理層リソースの優先度に従って、前記複数の物理層リソースのうちからデータを多重化する物理層リソースを確定するための物理層リソース確定ユニットであって、前記論理チャネルは、異なるトラフィック類型のデータを複数の物理層リソースに多重化することをサポートする物理層リソース確定ユニット；及び
前記論理チャネルのデータを、確定された前記物理層リソースに多重化するためのデータ多重化ユニットを含む、データ多重化装置。
【請求項２】
請求項1に記載のデータ多重化装置であって、
複数の論理チャネルのバッファにおいて、送信する必要のあるデータが存在するときに、異なる論理チャネルの優先度に従って、データ多重化を行う論理チャネルを確定するための論理チャネル確定ユニットをさらに含む、データ多重化装置。
【請求項３】
請求項1に記載のデータ多重化装置であって、
前記物理層リソースの優先度は、ネットワーク装置により設定され、又は、予め定義される、データ多重化装置。
【請求項４】
請求項3に記載のデータ多重化装置であって、
前記ネットワーク装置は、シグナリングにより、１つ又は複数の論理チャネル、トラフィック類型、又は無線接続に対応する複数の物理層リソースの優先度を設定し；
前記ネットワーク装置は、論理チャネル、トラフィック類型又は無線接続を確立するときに、対応する複数の物理層リソースの優先度を設定し；又は
１つ又は複数の論理チャネル、トラフィック類型又は無線接続に対応する複数の物理層リソースの優先度が予め定義される、データ多重化装置。
【請求項５】
請求項1に記載のデータ多重化装置であって、
前記物理層リソースの優先度は、ネットワーク装置により送信されるスケジューリング情報により指示される、データ多重化装置。
【請求項６】
請求項5に記載のデータ多重化装置であって、
前記スケジューリング情報は、前記ネットワーク装置が送信する物理下りリンク制御チャネル中の下りリンク制御情報であり、
前記下りリンク制御情報により前記物理層リソースの属する優先度を指示する、データ多重化装置。
【請求項７】
請求項1に記載のデータ多重化装置であって、
前記複数の物理層リソースの優先度は、前記物理リソースの時間の長さに従って設定される、データ多重化装置。
【請求項８】
請求項7に記載のデータ多重化装置であって、
前記時間の長さは、前記物理層リソースの伝送時間間隔の長さ、前記物理層リソースが占めるシンボルの個数、又は前記物理層リソースが占める絶対時間の長さを含む、データ多重化装置。
【請求項９】
請求項3に記載のデータ多重化装置であって、
各前記物理層リソースの時間の長さに優先度を設定又は定義し；
各前記物理層リソースの時間の長さに対応する索引に優先度を設定又は定義し；
各前記物理層リソースの時間の長さの数値範囲に優先度を設定又は定義し；
各前記物理層リソースの時間の長さの数値範囲に対応する索引に優先度を設定又は定義し；又は
各前記物理層リソースの時間の長さの大小関係に従って並べ替えて優先度を設定又は定義する、データ多重化装置。
【請求項１０】
データ多重化のための設定装置であって、
ユーザ装置の論理チャネルのために１つ又は複数の物理層リソースを設定するためのリソース設定ユニットであって、前記論理チャネルは、異なるトラフィック類型のデータを複数の物理層リソースに多重化することをサポートするリソース設定ユニット；及び
前記物理層リソースのために優先度を設定又は指示し、前記ユーザ装置に、前記優先度に基づいて、前記複数の物理層リソースのうちからデータを多重化する物理層リソースを確定させるための優先度設定ユニットを含む、設定装置。
【請求項１１】
請求項10に記載の設定装置であって、
前記優先度設定ユニットは、シグナリングにより、１つ又は複数の論理チャネル、トラフィック類型、又は無線接続に対応する複数の物理層リソースの優先度を設定し；又は
論理チャネル、トラフィック類型、又は無線接続を確立するときに、前記優先度設定ユニットは、対応する複数の物理層リソースの優先度を設定する、設定装置。
【請求項１２】
請求項10に記載の設定装置であって、
前記ユーザ装置にスケジューリング情報を送信するためのスケジューリング情報送信ユニットをさらに含み、
前記物理層リソースの優先度は、前記スケジューリング情報により指示される、設定装置。
【請求項１３】
請求項12に記載の設定装置であって、
前記スケジューリング情報は、前記スケジューリング情報送信ユニットが送信する物理下りリンク制御チャネル中の下りリンク制御情報であり、
前記下りリンク制御情報により前記物理層リソースの属する優先度を指示する、設定装置。
【請求項１４】
請求項10に記載の設定装置であって、
前記複数の物理層リソースの優先度は、前記物理層リソースの時間の長さに従って設定される、設定装置。
【請求項１５】
請求項14に記載の設定装置であって、
前記時間の長さは、前記物理層リソースの伝送時間間隔の長さ、前記物理層リソースが占めるシンボルの個数、又は前記物理層リソースが占める絶対時間の長さを含む、設定装置。
【請求項１６】
請求項10に記載の設定装置であって、
前記優先度設定ユニットは、
各前記物理層リソースの時間の長さに優先度を設定し；
各前記物理層リソースの時間の長さに対応する索引に優先度を設定し；
各前記物理層リソースの時間の長さの数値範囲に優先度を設定し；
各前記物理層リソースの時間の長さの数値範囲に対応する索引に優先度を設定し；又は
各前記物理層リソースの時間の長さの大小関係に従って並べ替えて優先度を設定する、設定装置。
【請求項１７】
通信システムであって、
請求項1に記載のデータ多重化装置を含むユーザ装置；及び
請求項10に記載のデータ多重化のための設定装置を含むネットワーク装置を含む、通信システム。
【発明の詳細な説明】
【技術分野】
【０００１】
本発明の実施例は、通信技術分野に関し、特に、データ多重化装置、方法及び通信システムに関する。
【背景技術】
【０００２】
3GPP（3rd  Generation  Partnership  Project）では、新しいトラフィックの要求を満足するように、次世代無線通信システムに関連する議論がなされている（複数の異なる要求をサポートし得るトラフィック類型を含む）。例えば、URLLC（Ultra-Reliable  Low  Latency  Communication）、eMBB（enhanced  Mobile  BroadBand）、mMTC（massive  Machine  Type  Communications）である。これらの異なる類型のトラフィックは、データレート、ディレイ（delay）、伝送信頼性について異なる要求を有する。
【０００３】
次世代無線通信システムでは、多様なトラフィックの要求をサポートするために、物理層において複数の異なるサブキャリア間隔及び／又はシンボル長さをサポートし得る伝送技術が、異なるヌメロロジー（Numerology）を有するものと称される。例えば、１つのユーザ装置（UE、User  Equipment）が複数の物理層伝送技術を同時に使用してデータ伝送を行っても良く、また、複数の異なるトラフィックが同一物理層伝送技術のリソース（以下、物理層リソースと略称される）に多重化されて伝送されても良い。
【０００４】
なお、上述の背景技術についての紹介は、本発明の技術案を明確且つ完全に説明し、また、当業者がそれを理解しやすいためのものである。これらの技術案は、本発明の背景技術の一部に記述されているため、当業者にとって周知であると解釈すべきではない。
【発明の概要】
【発明が解決しようとする課題】
【０００５】
従来のLTE（Long  Term  Evolution）システムでは、単一物理層伝送技術のみがサポートされ、論理チャネル多重化機能が、複数の異なるトラフィック類型のデータを単一物理層リソースに多重化することのみをサポートする。
【０００６】
次世代無線通信システムでは、あるユーザ装置において伝送する必要のある複数のトラフィック類型のデータが存在するときに、ネットワーク装置が複数の物理層リソースを、該ユーザ装置のデータ伝送のために同時にスケジューリングすることができる。このときに、ユーザ装置の論理チャネル多重化機能は、複数の異なる論理チャネル上の異なるトラフィック類型のデータを複数の異なる物理層リソースに多重化する必要がある。このときに、各論理チャネルに使用可能な物理層伝送技術が、ネットワーク装置により設定され、又は、プロトコルにより事前に規定される。各物理層伝送技術がキャリーし得る論理チャネルも、ネットワーク装置により設定され、又は、プロトコルにより予め規定されても良い。また、異なる論理チャネル間の処理優先度が、ネットワーク装置により設定され得る。
【０００７】
しかし、発明者が次のようなことが発見した。即ち、同一論理チャネルのデータが複数の物理層リソースに多重化され得るが、如何に、論理チャネルがサポートする複数の物理層リソースのうちからデータを多重化する物理層リソースを確定するかについて、従来技術では言及されていない。そのため、ユーザ装置において伝送する必要のある複数のトラフィック類型のデータが存在するときに、ユーザ装置のリソースに対しての使用と、ネットワーク装置のスケジューリング・インテンション（scheduling  intention）との一致性を確保することができない。
【０００８】
本発明の実施例は、データ多重化装置、方法及び通信システムを提供する。論理チャネルがサポートし得る複数の物理層リソースの優先度に従って、データを多重化する物理層リソースを確定し、これにより、ユーザ装置において伝送する必要のある複数のトラフィック類型のデータが存在するときに、ユーザ装置のリソースに対しての使用と、ネットワーク装置のスケジューリング・インテンションとの一致性を確保することができる。
【課題を解決するための手段】
【０００９】
本発明の実施例の第一側面によれば、データ多重化方法が提供され、それは、
データ多重化を行う必要がある論理チャネルについて、前記論理チャネルがサポートする複数の物理層リソースの優先度に従って、前記複数の物理層リソースのうちからデータを多重化する物理層リソースを確定し、そのうち、前記論理チャネルは、異なるトラフィック類型のデータを複数の物理層リソースに多重化することをサポートし；及び
前記論理チャネルのデータを、確定された前記物理層リソースに多重化することを含む。
【００１０】
本発明の実施例の第二側面によれば、データ多重化装置が提供され、それは、
データ多重化を行う必要がある論理チャネルについて、前記論理チャネルがサポートする複数の物理層リソースの優先度に従って、前記複数の物理層リソースのうちからデータを多重化する物理層リソースを確定するための物理層リソース確定ユニットであって、前記論理チャネルは、異なるトラフィック類型のデータを複数の物理層リソースに多重化することをサポートするもの；及び
前記論理チャネルのデータを、確定された前記物理層リソースに多重化するためのデータ多重化ユニットを含む。
【００１１】
本発明の実施例の第三側面によれば、データ多重化のための設定方法が提供され、それは、
ユーザ装置の論理チャネルのために１つ又は複数の物理層リソースを設定し、そのうち、前記論理チャネルは、異なるトラフィック類型のデータを複数の物理層リソースに多重化することをサポートし；及び
前記物理層リソースのために優先度を設定又は指示し、前記ユーザ装置に、前記優先度に基づいて、前記複数の物理層リソースのうちからデータを多重化する物理層リソースを確定させることを含む。
【００１２】
本発明の実施例の第四側面によれば、データ多重化のための設定装置が提供され、それは、
ユーザ装置の論理チャネルのために１つ又は複数の物理層リソースを設定するためのリソース設定ユニットであって、前記論理チャネルは、異なるトラフィック類型のデータを複数の物理層リソースに多重化することをサポートするもの；及び
前記物理層リソースのために優先度を設定又は指示し、前記ユーザ装置に、前記優先度に基づいて、前記複数の物理層リソースのうちからデータを多重化する物理層リソースを確定させるための優先度設定ユニットを含む。
【００１３】
本発明の実施例の第五側面によれば、通信システムが提供され、それは、
上記の第二側面に記載のデータ多重化装置を含むユーザ装置；及び
上記の第四側面に記載のデータ多重化のための設定装置を含むネットワーク装置を含む。
【００１４】
本発明の実施例の有益な効果は、次の通りであり、即ち、論理チャネルがサポートし得る複数の物理層リソースの優先度に従って、データを多重化する物理層リソースを確定し、これにより、ユーザ装置において伝送する必要のある複数のトラフィック類型のデータが存在するときに、ユーザ装置のリソースに対しての使用と、ネットワーク装置のスケジューリング・インテンションとの一致性を確保することができる。
【００１５】
後述の説明及び図面を参照することで、本発明の特定の実施形態を詳しく開示し、本発明の原理を採用し得る態様を示す。なお、本発明の実施形態は、範囲上ではこれらによって限定されない。添付した特許請求の範囲内であれば、本発明の実施形態は、様々な変更、修正及び代替によるものを含んでも良い。
【００１６】
また、１つの実施方式について説明した及び／又は示した特徴は、同じ又は類似した方式で１つ又は複数の他の実施形態に用い、他の実施形態中の特徴と組み合わせ、又は、他の実施形態中の特徴を置換することもできる。
【００１７】
なお、「含む／有する」のような用語は、本明細書に使用されるときに、特徴、要素、ステップ、又はアセンブルの存在を指すが、１つ又は複数の他の特徴、要素、ステップ、又はアセンブリの存在又は付加を排除しないということも指す。
【図面の簡単な説明】
【００１８】
本発明の１つの図面又は１つの実施形態に記載の要素及び特徴は、１つ又は複数の他の図面又は実施形態に示した要素及び特徴と組み合わせることができる。また、図面では、類似した符号は、幾つの図面中の対応する部品を示し、複数の実施形態に用いる対応部品を示すためにも用いられる。
【図１】本発明の実施例における通信システムを示す図である。
【図２】本発明の実施例1におけるデータ多重化方法を示す図である。
【図３】本発明の実施例1における複数のヌメロロジー下のフレーム構成を示す図である。
【図４】本発明の実施例1におけるデータ多重化方法を示す他の図である。
【図５】本発明の実施例2におけるデータ多重化のための設定方法を示す図である。
【図６】本発明の実施例2におけるデータ多重化方法を示す図である。
【図７】本発明の実施例2におけるデータ多重化方法を示す他の図である。
【図８】本発明の実施例2におけるデータ多重化方法を示す他の図である。
【図９】本発明の実施例3におけるデータ多重化装置を示す図である。
【図１０】本発明の実施例4におけるデータ多重化のための設定装置を示す図である。
【図１１】本発明の実施例5におけるユーザ装置を示す図である。
【図１２】本発明の実施例5におけるネットワーク装置を示す図である。
【発明を実施するための形態】
【００１９】
添付した図面及び以下の説明を参照することにより、本発明の前述及び他の特徴が明らかになる。なお、明細書及び図面では、本発明の特定の実施形態を開示しているが、それは、本発明の原理を採用し得る一部のみの実施形態を示し、理解すべきは、本発明は、記載されている実施形態に限定されず、即ち、本発明は、添付した特許請求の範囲内での全ての変更、変形及び代替によるものも含むということである。
【００２０】
本発明の実施例では、用語“通信ネットワーク”又は“無線通信ネットワーク”は、次のような任意の通信規格に準ずるネットワークを指しても良く、例えば、LTE（LTE、Long  Term  Evolution）、LTE-A（LTE-Advanced）、WCDMA（登録商標）（Wideband  Code  Division  Multiple  Access）、HSPA（High-Speed  Packet  Access）などである。
【００２１】
また、通信システム中の装置間の通信は、任意の段階の通信プロトコルに従って行われても良く、例えば、次のような通信プロトコルを含んでも良いが、それに限定されず、即ち、1G（generation）、2G、2.5G、2.75G、3G、4G、4.5G及び将来の5G、新無線（NR、New  Radio）など、及び／又は、その他の従来の又は将来に開発される通信プロトコルである。
【００２２】
本発明の実施例では、用語“ネットワーク装置”は、例えば、通信システム中の、端末装置を通信ネットワークに接続し、該端末装置にサービスを提供する装置を指す。ネットワーク装置は、次のようなものを含んでも良いが、それに限定されず、即ち、基地局（BS、Base  Station）、アクセスポイント（AP、Access  Point）、送受信ポイント（TRP、Transmission  Reception  Point）、ブロードキャスト送信機、モバイル管理エンティティ（MME、Mobile  Management  Entity）、ネットワークゲートウェイ、サーバー、無線ネットワーク制御器（RNC、Radio  Network  Controller）、基地局制御器（BSC、Base  Station  Controller）などである。
【００２３】
そのうち、基地局は、次のようなものを含んでも良いが、それに限定されず、即ち、ノードB（NodeB又はNB）、進化ノードB（eNodeB又はeNB）及び5G基地局（gNB）などであり、さらにRRH（Remote  Radio  Head）、RRU（Remote  Radio  Unit）、リレー（relay）又は低パワーノード（例えば、femto、picoなど）を含んでも良い。また、用語“基地局”は、それらの一部又は全ての機能を含んでも良く、各基地局は、特定の地理的領域に対して通信カバレッジを提供することができる。用語“セル”が指すのは、基地局及び／又はそのカバーする領域であっても良い、これは、該用語のコンテキストによるものである。
【００２４】
本発明の実施例では、用語“ユーザ装置”（UE、User  Equipment）又は“端末装置”（TE、Terminal  Equipment）は、例えば、ネットワーク装置により通信ネットワークにアクセスし、そして、ネットワークからのサービスを受ける装置を指す。ユーザ装置は、固定したもの又は移動するものであっても良く、また、移動ステーション（MS、Mobile  Station）、端末、ユーザステーション（SS、Subscriber  Station）、アクセス端末（AT、Access  Terminal）、ステーションなどとも称される。
【００２５】
そのうち、ユーザ装置は、次のようなものを含んでも良いが、それに限定されず、例えば、携帯電話（Cellular  Phone）、PDA（Personal  Digital  Assistant）、無線モデム、無線通信装置、携帯装置、マシン型通信装置、ラップトップコンピュータ、コードレス電話機、スマートフォン、スマートウォッチ、デジタルカメラなどである。
【００２６】
また、例えば、IoT（Internet  of  Things）などのシナリオでは、ユーザ装置は、さらに、監視又は測定を行う機器又は装置であっても良く、例えば、次のようなものを含んでも良いが、それに限定されず、即ち、機器型通信（MTC、Machine  Type  Communication）端末、車載通信端末、D2D（Device  to  Device）端末、M2M（Machine  to  Machine）端末などである。
【００２７】
以下、例を挙げて本発明の実施例のシナリオについて説明するが、本発明は、これに限定されない。
【００２８】
図1は、本発明の実施例の通信システムを示す図であり、ユーザ装置及びネットワーク装置を例とする場合を説明する。図1に示すように、通信システム100は、ネットワーク装置101及びユーザ装置102（説明の便宜のため、図1では、１つのみのユーザ装置を例として説明する）を含んでも良い。
【００２９】
本発明の実施例では、ネットワーク装置101及びユーザ装置102間は、既存のトラフィック又は将来実施可能なトラフィックを行うことができる。例えば、これらのトラフィックは、次のようなものを含んでも良いが、それに限定されず、即ち、eMBB（enhanced  Mobile  Broadband）、mMTC（massive  Machine  Type  Communication）、URLLC（Ultra-Reliable  and  Low-Latency  Communication）などである。
【００３０】
そのうち、ユーザ装置102は、ネットワーク装置101にデータを送信することができる。ネットワーク装置101は、１つ又は複数のユーザ装置102が送信したデータを受信し、そして、ユーザ装置102に情報（例えば、確認ACK／非確認NACK）をフィードバックすることができる。
【００３１】
以下、通信システム中のネットワーク装置をデータ受信端とし、ユーザ装置をデータ送信端とする場合を例として説明するが、本発明は、これに限定されず、送信端及び／又は受信端は、さらに、他の装置であっても良い。
【実施例１】
【００３２】
本発明の実施例は、データ多重化方法を提供し、それは、データ送信端（例えば、ユーザ装置）に応用される。図2は、本発明の実施例におけるデータ多重化方法を示す図であり、ユーザ装置の角度から例示的に説明する。図2に示すように、該データ多重化方法は、以下のステップを含む。
【００３３】
ステップ201：ユーザ装置は、データ多重化を行う必要のある論理チャネルについて、それがサポートし得る複数の物理層リソースの優先度に従って、前記複数の物理層リソースのうちからデータを多重化する物理層リソースを確定し；そのうち、前記論理チャネルは、異なるトラフィック類型のデータを複数の物理層リソースに多重化することをサポートし；及び
ステップ202：ユーザ装置は、前記論理チャネルのデータを、確定された前記物理層リソースに多重化する。
【００３４】
本実施例では、異なる物理層リソースは、異なるヌメロロジーを有しても良く、前記異なるヌメロロジーは、異なるサブキャリア間隔及び／又はシンボル長さを含んでも良い。なお、本発明は、これに限定されず、例えば、異なる物理層リソースは、同じヌメロロジーを有しても良い。
【００３５】
図3は、本発明の実施例における複数のヌメロロジー下でのフレーム構成を示す図である。図3に示すように、ある時間間隔（例えば、１つのサブフレーム長さ）内で、時間周波数リソースは、複数のヌメロロジー（図3に示すようなヌメロロジー1、ヌメロロジー2及びヌメロロジー3）を有しても良い。異なるNumerology下で、異なるサブキャリア間隔及びシンボル長さを有する。将来の超広帯域無線システムでは、複数のNumerologyが共存する可能性があり、異なるNumerologyは、独立した１つの周波数部分（frequency  portion）を占用して良く、又は、１つの周波数部分を共用しても良い。
【００３６】
以上、ヌメロロジーについて例示的に説明した。そのうち、異なるヌメロロジーが異なるサブキャリア間隔及び／又はシンボル長さを有することを例としたが、本発明は、これに限定されず、例えば、異なるヌメロロジーは、他の異なるパラメータを有しても良い。また、ヌメロロジーの名称に関しては、本発明は、これに限定されず、例えば、モード、パターンなどと称されても良い。
【００３７】
以上、データ多重化を行う必要のある論理チャネルについての処理を説明したが、本発明の実施例では、論理チャネルは、１つ又は複数であっても良く、論理チャネル（例えば、各論理チャネル）は、異なるトラフィック類型のデータを複数の物理層リソースに多重化することをサポートし得る。データ多重化を行う必要のある複数の論理チャネルについては、論理チャネルの優先度に従って一つずつ処理することができる。
【００３８】
本実施例では、複数の論理チャネルのバッファにおいて送信する必要のあるデータが存在するときに、異なる論理チャネルの優先度（例えば、既にネットワーク装置により設定されている）に従って、優先的に、高優先度の論理チャネルのデータに対して多重化操作を行うことができる。例えば、高優先度の論理チャネルのデータ伝送に対しての要求が満足されたときにのみ、低優先度の論理チャネルの多重化操作を行う。
【００３９】
図4は、本発明の実施例におけるデータ多重化方法を示す他の図であり、ユーザ装置の角度からさらに説明する。図4に示すように、該データ多重化方法は、以下のステップを含む。
【００４０】
ステップ401：ユーザ装置の複数の論理チャネルのバッファにおいて送信する必要のあるデータが存在し；
ステップ402：ユーザ装置は、異なる論理チャネルの優先度に従って、データ多重化を行う論理チャネルを確定し；
例えば、３つの論理チャネルLC1、LC2及びLC3のバッファには、送信する必要のあるデータが存在し、この３つの論理チャネルLC1、LC2及びLC3の優先度が既にネットワーク装置により事前に設定されている。この場合、ユーザ装置は、優先度最高の論理チャネル（例えば、LC2）を確定し、確定された該論理チャネル（例えば、LC2）に対して以下のステップを行っても良い。
【００４１】
ステップ403：ユーザ装置は、論理チャネルがサポートする複数の物理層リソースの優先度に従って、複数の物理層リソースのうちからデータを多重化する物理層リソースを確定し；
本実施例では、前記物理層リソースの優先度は、ネットワーク装置により設定されても良く、又は、プロトコル又は規格に予め定義されても良く、又は、物理層リソースのスケジューリング情報により指示されても良く、具体的な実施方式は、後述の内容を参照する。
【００４２】
例えば、LC2は、４つの物理層リソースPR1、PR2、PR3及びPR4をサポートし得る。そのうち、この４つの物理層リソースPR1、PR2、PR3及びPR4の優先度は、既に、ネットワーク装置によりシグナリングを用いて設定されている（例えば、これらの物理層リソースの時間の長さに従って設定することで、優先度は、高から低への順で、PR3、PR1、PR4、PR2になる）。ユーザ装置は、この４つの物理層リソースPR1、PR2、PR3及びPR4のうちから優先度最高の物理層リソースPR3（例えば、該PR3の時間の長さが最短である）を確定することができる。
【００４３】
ステップ404：ユーザ装置は、前記論理チャネルのデータを、確定された前記物理層リソースに多重化し；
ステップ405：ユーザ装置は、該論理チャネルのデータが全て多重化されているかを確定し、「はい」の場合、ステップ406を実行し、「いいえ」の場合、継続してステップ403を実行して、再びデータを多重化する物理層リソースを確定する。
【００４４】
本実施例では、例えば、優先的に、該論理チャネルのデータを高優先度の物理層リソースに多重化することができる。高優先度の物理層リソースが全て使われた場合にのみ、該論理チャネルのデータを低優先度の物理層リソースに多重化する。
【００４５】
例えば、PR3が用いられているが、該LC2において依然として多重化される必要のあるデータが存在するときに、優先度が２番目に高いPR1を確定し、LC2上の剰余のデータを該PR1に多重化することができる。
【００４６】
ステップ406：ユーザ装置は、処理待ちの論理チャネルがまだあるかを確定し、「はい」の場合、継続してステップ402を実行して、データ多重化を行う次の論理チャネルを確定する。
【００４７】
例えば、LC2の処理が完了した後に、上述のステップのように継続して優先度が３番目に高いLC1に対して処理を行うことができる。
【００４８】
なお、以上、図4をもとに本発明の実施例について例示的に説明したが、本発明は、これに限定されない。例えば、各ステップ間の実行順序を適切に調整しても良く、幾つかのステップを増減しても良い。また、当業者は、図4の記載に限られず、上述の内容に基づいて適切な変形を行っても良い。
【００４９】
以下、如何に物理層リソース優先度の設定、定義、又は指示を行うかについて例示的に説明する。
【００５０】
１つの実施方式では、ネットワーク装置は、上位層シグナリング（例えば、無線リソース制御（RRC、Radio  Resource  Control）シグナリング）により、１つ又は複数の論理チャネル（又は、トラフィック類型、無線接続）に対応する複数の物理層リソースの優先度を設定することができる。
【００５１】
例えば、１つのトラフィック類型が複数の無線接続に対応しても良く、１つの無線接続が複数の論理チャネルに対応しても良く、この場合、論理チャネルを粒度として設定を行っても良く、無線接続を粒度として設定を行っても良く（例えば、該無線接続下の全ての論理チャネルの設定が同じである）、トラフィック類型を粒度として設定を行っても良い（例えば、該トラフィック類型下の全ての論理チャネルの設定が同じである）。
【００５２】
もう１つの実施方式では、ネットワーク装置は、論理チャネル（又は、トラフィック類型、無線接続）を確立するときに、その対応する複数の物理層リソースの優先度を設定することができる。
【００５３】
もう１つの実施方式では、プロトコル又は規格により、１つ又は複数の論理チャネル（又は、トラフィック類型、無線接続）に対応する複数の物理層リソースの優先度が予め定義されても良い。
【００５４】
もう１つの実施方式では、物理層リソースの優先度は、さらに、前記物理層リソースのスケジューリング情報により指示することができる。具体的には、ネットワーク装置が送信する物理下りリンク制御チャネル（PDCCH、Physical  Downlink  Control  Channel）中のスケジューリング情報により動的に各物理層リソースの属する優先度を指示しても良い。例えば、下りリンク制御情報（DCI、Downlink  Control  Information）に優先度フィールド（field）を追加することで、該物理層リソースの優先度を示しても良い。
【００５５】
なお、以上の各実施方式は、独立して行われても良い。例えば、ネットワーク装置は、シグナリングによりPR1、PR2、PR3及びPR4の優先度を設定するのでなく、PDCCHのDCI情報中でPR1、PR2、PR3及びPR4の優先度を指示しても良い（それぞれ指示しても良く、まとめて指示しても良い）。
【００５６】
なお、本発明は、これに限定されず、以上の各実施方式は、組み合わせて行うこともできる。例えば、ネットワーク装置は、先にシグナリングを用いてPR1、PR2、PR3及びPR4の優先度に対して設定を行い、その後、PDCCHのDCI情報中でPR1、PR2、PR3及びPR4の優先度を指示し（それぞれ指示しても良く、まとめて指示しても良く）、シグナリングにより設定された優先度に対して変更を行っても良い。或いは、先にPDCCHのDCIを用いて各物理層リソースを指示し、その後、シグナリングにより、指示された優先度に対して変更を行っても良い。
【００５７】
以上、本発明の実施例における物理層リソース優先度の設定方式を説明したが、本発明は、これに限定されず、例えば、スケジューリング情報は、PDCCH中のDCIに限られず、他の制御チャネル中の他の情報であっても良い。以下、物理層リソース優先度の設定内容について例示的に説明する。
【００５８】
本実施例では、複数の物理層リソースの優先度は、物理層リソースの時間の長さに従って設定されても良い。本実施例に記載の時間の長さは、ある物理層リソースの時間領域における持続長さを指しても良い。該時間の長さは、次のような形式を含むが、それに限定されず、即ち、物理層リソースの伝送時間間隔（TTI、Transmission  Time  Interval）の長さ、物理層リソースが占めるシンボル（例えば、OFDM(Orthogonal  Frequency  Division  Multiplexing）シンボル）の個数、物理層リソースが占める絶対時間の長さ、例えば、ms（ミリ秒）を単位とするものである。
【００５９】
１つの実施方式では、物理層リソース（例えば、各物理層リソース）の時間の長さ（数値）に優先度を設定又は定義しても良い。
【００６０】
例えば、ある論理チャネル（又は、トラフィック類型、無線接続）について、可用の（使用可能な）複数の物理層リソースの優先度は、次のように定義されても良い。
【表１】
2019537375.tif 000003
【００６１】
例えば、設定情報には、時間の長さ及び対応する優先度が含まれても良い。
【００６２】
もう１つの実施方式では、物理層リソース（例えば、各物理層リソース）の時間の長さ対応する索引に優先度を設定又は定義することができる。
【００６３】
例えば、ある論理チャネル（又は、トラフィック類型、無線接続）について、可用の複数の物理層伝送技術に係るリソースの優先度は、次のように定義されても良い。
【表２】
2019537375.tif 000004
【００６４】
例えば、設定情報には、時間の長さの索引及び対応する優先度が含まれても良い。
【００６５】
もう１つの実施方式では、物理層リソース（例えば、各物理層リソース）の時間の長さの範囲（数値範囲）に優先度を設定又は定義しても良い。
【００６６】
例えば、ある論理チャネル（又は、トラフィック類型、無線接続）について、可用の複数の物理層伝送技術に係るリソースの優先度は、以下のように定義されても良い。
【表３】
2019537375.tif 000005
【００６７】
例えば、設定情報には、時間の長さの数値範囲及び対応する優先度が含まれても良い。
【００６８】
もう１つの実施方式では、物理層リソース（例えば、各前記物理層リソース）の時間の長さの数値範囲に対応する索引に優先度を設定又は定義することができる。
【００６９】
例えば、ある論理チャネル（又は、トラフィック類型、無線接続）について、可用の複数の物理層伝送技術に係るリソースの優先度は、次のように定義されても良い。
【表４】
2019537375.tif 000006
【００７０】
例えば、設定情報には、時間の長さの数値範囲の索引及び対応する優先度が含まれても良い。
【００７１】
もう１つの実施方式では、さらに、物理層リソースの時間の長さの大小関係に従って並び替えて優先度を設定又は定義しても良い。
【００７２】
例えば、ある論理チャネル（又は、トラフィック類型、無線接続）について、可用の複数の物理層リソースの時間の長さが短いほど、その優先度が高い。逆の場合も、同様である。
【００７３】
なお、以上、本発明の実施例について例示的に説明したが、本発明は、これに限定されず、当業者は、上述の各実施方式の記載に限られず、上述の内容に基づいて適切な変更を行うこともできる。
【００７４】
本実施例では、複数の物理層リソース間のデータ多重化の優先度を、１つの論理チャネルのデータを複数の物理層リソースに多重化するときの処理優先度として設定、定義又は指示することができる。物理層リソースの持続時間の長さに従って優先度の設定を行うことで、異なる物理層リソースの異なる伝送ディレイの特徴を十分に考慮して、異なるトラフィックのディレイ要求とのマッチングをより良くすることができる。
【００７５】
上述の実施例から分かるように、論理チャネルがサポートする複数の物理層リソースの優先度に従って、データを多重化する物理層リソースを確定し、これにより、ユーザ装置において伝送する必要のある複数のトラフィック類型のデータが存在するときに、ユーザ装置のリソースに対しての使用と、ネットワーク装置のスケジューリング・インテンションとの一致性を確保することができる。
【実施例２】
【００７６】
本発明の実施例は、データ多重化のための設定方法を提供し、それは、データ受信端（例えば、ネットワーク装置）に応用され、ここでは、実施例1と同じ内容が省略される。
【００７７】
図5は、本発明の実施例におけるデータ多重化のための設定方法を示す図であり、ネットワーク装置の角度から例示的に説明する。図5に示すように、該設定方法は、以下のステップを含む。
【００７８】
ステップ501：ネットワーク装置は、ユーザ装置の論理チャネルのために１つ又は複数の物理層リソースを設定し、そのうち、前記論理チャネルは、異なるトラフィック類型のデータを複数の物理層リソースに多重化することをサポートし；
ステップ502：ネットワーク装置は、前記複数の物理層リソースのために優先度を設定又は指示し、ユーザ装置に、前記優先度に基づいて前記複数の物理層リソースのうちからデータを多重化する物理層リソースを確定させる。
【００７９】
本実施例では、異なる前記物理層リソースは、異なるヌメロロジーを有しても良く、前記異なるヌメロロジーは、異なるサブキャリア間隔及び／又はシンボル長さを含むが、本発明は、これに限定されず、異なる前記物理層リソースは、同じヌメロロジーを有しても良い。
【００８０】
１つの実施方式では、シグナリングにより、物理層リソースの優先度が設定されても良い。
【００８１】
図6は、本発明の実施例におけるデータ多重化方法を示す図であり、ネットワーク装置及びユーザ装置の角度から例示的に説明する。図6に示すように、該方法は、以下のステップを含む。
【００８２】
ステップ601：ネットワーク装置は、ユーザ装置の論理チャネルのために１つ又は複数の物理層リソースを設定し、そのうち、前記論理チャネルは、異なるトラフィック類型のデータを複数の物理層リソースに多重化することをサポートし；
ステップ602：ネットワーク装置は、シグナリングにより、１つ又は複数の論理チャネル（又は、トラフィック類型、無線接続）に対応する複数の物理層リソースの優先度を設定し；
ステップ603：ユーザ装置は、複数の論理チャネルのバッファにおいて送信する必要のあるデータが存在するときに、異なる論理チャネルの優先度に従って、データ多重化を行う論理チャネルを確定し；
ステップ604：ユーザ装置は、確定された論理チャネルについて、それがサポートし得る複数の物理層リソースの優先度に従って、データを多重化する物理層リソースを確定し；及び
ステップ605：ユーザ装置は、前記論理チャネルのデータを、確定された前記物理層リソースに多重化する。
【００８３】
もう１つの実施方式では、論理チャネル又はトラフィック類型又は無線接続を確立するときに、ネットワーク装置は、対応する複数の物理層リソースの優先度を設定する。
【００８４】
図7は、本発明の実施例におけるデータ多重化方法を示す他の図であり、ネットワーク装置及びユーザ装置の角度から例示的に説明する。図7に示すように、該方法は、以下のステップを含む。
【００８５】
ステップ701：ネットワーク装置は、ユーザ装置の論理チャネルのために１つ又は複数の物理層リソースを設定し、且つ複数の物理層リソースの優先度を設定し、そのうち、前記論理チャネルは、異なるトラフィック類型のデータを複数の物理層リソースに多重化することをサポートし；
ステップ702：ユーザ装置は、複数の論理チャネルのバッファにおいて送信する必要のあるデータが存在するときに、異なる論理チャネルの優先度に従って、データ多重化を行う論理チャネルを確定し；
ステップ703：ユーザ装置は、確定された論理チャネルについて、それがサポートし得る複数の物理層リソースの優先度に従って、前記論理チャネル上のデータを多重化する物理層リソースを確定し；及び
ステップ704：ユーザ装置は、前記論理チャネルのデータを、確定された前記物理層リソースに多重化する。
【００８６】
もう１つの実施方式では、ネットワーク装置は、スケジューリング情報により、前記物理層リソースの優先度を指示することができる。
【００８７】
図8は、本発明の実施例におけるデータ多重化方法を示す他の図であり、ネットワーク装置及びユーザ装置の角度から例示的に説明する。図8に示すように、該方法は、以下のステップを含む。
【００８８】
ステップ801：ネットワーク装置は、ユーザ装置の論理チャネルのために１つ又は複数の物理層リソースを設定し、そのうち、前記論理チャネルは、異なるトラフィック類型のデータを複数の物理層リソースに多重化することをサポートし；
ステップ802：ネットワーク装置は、ユーザ装置に物理下りリンク制御チャネル（PDCCH）を送信し、そのうち、該物理下りリンク制御チャネル中のスケジューリング情報（例えばDCI）は、物理層リソースの属する優先度を指示し；
ステップ803：ユーザ装置は、複数の論理チャネルのバッファにおいて送信する必要のあるデータが存在するときに、異なる論理チャネルの優先度に従って、データ多重化を行う論理チャネルを確定し；
ステップ804：ユーザ装置は、確定された論理チャネルについて、それがサポートし得る複数の物理層リソースの優先度に従って、前記論理チャネル上のデータを多重化する物理層リソースを確定し；及び
ステップ805：ユーザ装置は、前記論理チャネルのデータを、確定された前記物理層リソースに多重化する。
【００８９】
本実施例では、複数の物理層リソースの優先度は、物理層リソースの時間の長さに基づいて設定される。そのうち、前記時間の長さは、前記物理層リソースの伝送時間間隔の長さ、又は、前記物理層リソースが占めるシンボルの個数、又は、前記物理層リソースが占める絶対時間の長さを含んでも良いが、本発明は、これに限定されない。
【００９０】
本実施例では、ネットワーク装置は、物理層リソースの時間の長さに優先度を設定しても良く、又は、物理層リソースの時間の長さに対応する索引に優先度を設定しても良く、又は、物理層リソースの時間の長さの数値範囲に優先度を設定しても良く、又は、物理層リソースの時間の長さの数値範囲に対応する索引に優先度を設定しても良い。また、ネットワーク装置は、物理層リソースの時間の長さの大小関係に従って並び替えて優先度を設定しても良い。なお、本発明は、これに限定されない。
【００９１】
上述の実施例から分かるように、論理チャネルがサポートする複数の物理層リソースの優先度に従って、データを多重化する物理層リソースを確定し、これにより、ユーザ装置において伝送する必要のある複数のトラフィック類型のデータが存在するときに、ユーザ装置のリソースに対しての使用と、ネットワーク装置のスケジューリング・インテンションとの一致性を確保することができる。
【実施例３】
【００９２】
本発明の実施例は、データ多重化装置を提供し、該データ多重化装置は、データ送信端（例えば、ユーザ装置）であっても良く、ユーザ装置に配置される部品又はモジュールであっても良い。本実施例3では、実施例1と同じ内容が省略される。
【００９３】
図9は、本発明の実施例におけるデータ多重化装置を示す図であり、図9に示すように、データ多重化装置900は、以下のものを含む。
【００９４】
物理層リソース確定ユニット901：それは、データ多重化を行う必要のある論理チャネルについて、該論理チャネルがサポートし得る複数の物理層リソースの優先度に従って、前記複数の物理層リソースのうちからデータを多重化する物理層リソースを確定し、そのうち、前記論理チャネルは、異なるトラフィック類型のデータを複数の物理層リソースに多重化することをサポートし；及び
データ多重化ユニット902：それは、前記論理チャネルのデータを、確定された前記物理層リソースに多重化する。
【００９５】
図9に示すように、データ多重化装置900は、さらに、以下のようなものを含んでも良い。
【００９６】
論理チャネル確定ユニット903：それは、複数の論理チャネルのバッファにおいて送信する必要のあるデータが存在するときに、異なる論理チャネルの優先度に従って、データ多重化を行う論理チャネルを確定する。
【００９７】
本実施例では、異なる前記物理層リソースは、異なるヌメロロジーを有しても良く、前記異なるヌメロロジーは、異なるサブキャリア間隔及び／又はシンボル長さを含むが、本発明は、これに限定されず、異なる前記物理層リソースは、さらに、同じヌメロロジーを有しても良い。
【００９８】
本実施例では、前記物理層リソースの優先度は、ネットワーク装置により設定されても良く、又は、プロトコル又は規格に予め定義されても良い。
【００９９】
例えば、ネットワーク装置は、シグナリングにより、１つ又は複数の論理チャネル又はトラフィック類型又は無線接続に対応する複数の物理層リソースの優先度を設定しても良く；又は、ネットワーク装置は、論理チャネル又はトラフィック類型又は無線接続を確立するときに、対応する複数の物理層リソースの優先度を設定しても良く；又は、プロトコル又は規格において、１つ又は複数の論理チャネル又はトラフィック類型又は無線接続に対応する複数の物理層リソースの優先度を予め定義しても良い。
【０１００】
本実施例では、前記物理層リソースの優先度は、さらに、ネットワーク装置送信のスケジューリング情報により指示されても良い。例えば、前記ネットワーク装置送信のPDCCH中のスケジューリング情報（例えばDCI）により、前記物理層リソースの属する優先度を指示しても良い。
【０１０１】
本実施例では、前記複数の物理層リソースの優先度は、物理層リソースの時間の長さに従って設定されても良い。そのうち、前記時間の長さは、前記物理層リソースの伝送時間間隔の長さ、又は、前記物理層リソースが占めるシンボルの個数、又は、前記物理層リソースが占める絶対時間の長さを含んでも良いが、本発明は、これに限定されない。
【０１０２】
本実施例では、物理層リソースの時間の長さに優先度を設定又は定義しても良く；又は、物理層リソースの時間の長さに対応する索引に優先度を設定又は定義しても良く；又は、物理層リソースの時間の長さの数値範囲に優先度を設定又は定義しても良く；又は、物理層リソースの時間の長さの数値範囲に対応する索引に優先度を設定又は定義しても良く；又は、物理層リソースの時間の長さの大小関係に従って並び替えて優先度を設定又は定義しても良い。なお、本発明は、これに限定されない。
【０１０３】
なお、以上、本発明に関連する各部品又はモジュールについて説明したが、本発明は、これに限定されない。データ多重化装置900は、さらに、他の部品又はモジュールを含んでも良い。これらの部品又はモジュールの具体的な内容については、関連技術を参照することができる。
【０１０４】
上述の実施例から分かるように、論理チャネルがサポートする複数の物理層リソースの優先度に従って、データを多重化する物理層リソースを確定し、これにより、ユーザ装置において伝送する必要のある複数のトラフィック類型のデータが存在するときに、ユーザ装置のリソースに対しての使用と、ネットワーク装置のスケジューリング・インテンションとの一致性を確保することができる。
【実施例４】
【０１０５】
本発明の実施例は、データ多重化のための設定装置を提供し、該設定装置は、データ受信端（例えば、ネットワーク装置）であっても良く、ネットワーク装置に配置される部品又はモジュールであっても良い。本実施例4では、実施例1及び2と同じ内容が省略される。
【０１０６】
図10は、本発明の実施例におけるデータ多重化のための設定装置を示す図であり、図10に示すように、設定装置1000は、以下のようなものを含む。
【０１０７】
リソース設定ユニット1001：それは、ユーザ装置の論理チャネルのために１つ又は複数の物理層リソースを設定し、そのうち、前記論理チャネルは、異なるトラフィック類型のデータを複数の物理層リソースに多重化することをサポートし；
優先度設定ユニット1002：それは、前記物理層リソースのために優先度を設定又は指示し、前記ユーザ装置に、前記優先度に基づいて、前記複数の物理層リソースのうちからデータを多重化する物理層リソースを確定させる。
【０１０８】
本実施例では、異なる前記物理層リソースは、異なるヌメロロジーを有しても良く、前記異なるヌメロロジーは、異なるサブキャリア間隔及び／又はシンボル長さを含むが、本発明は、これに限定されず、異なる前記物理層リソースは、同じヌメロロジーを有しても良い。
【０１０９】
１つの実施方式では、優先度設定ユニット1002は、シグナリングにより、１つ又は複数の論理チャネル又はトラフィック類型又は無線接続に対応する複数の物理層リソースの優先度を設定しても良く；又は、論理チャネル又はトラフィック類型又は無線接続を確立するときに、優先度設定ユニット1002は、対応する複数の物理層リソースの優先度を設定しても良い。
【０１１０】
もう１つの実施方式では、図10に示すように、設定装置1000は、さらに、以下のようなものを含んでも良い。
【０１１１】
スケジューリング情報送信ユニット1003：それは、前記ユーザ装置にスケジューリング情報を送信し、そのうち、前記物理層リソースの優先度は、前記スケジューリング情報により指示される。そのうち、スケジューリング情報送信ユニット1003送信のPDCCH中のスケジューリング情報（例えば、DCI）により前記物理層リソースの属する優先度を指示しても良い。
【０１１２】
本実施例では、前記複数の物理層リソースの優先度は、物理層リソースの時間の長さに従って設定されても良い。そのうち、前記時間の長さは、前記物理層リソースの伝送時間間隔の長さ、又は、前記物理層リソースが占めるシンボルの個数、又は、前記物理層リソースが占める絶対時間の長さを含んでも良いが、本発明は、これに限定されない。
【０１１３】
本実施例では、優先度設定ユニット1002は、前記物理層リソースの時間の長さに優先度を設定しても良く；又は、前記物理層リソースの時間の長さに対応する索引に優先度を設定しても良く；又は、前記物理層リソースの時間の長さの数値範囲に優先度を設定しても良く；又は、前記物理層リソースの時間の長さの数値範囲に対応する索引に優先度を設定しても良く；又は、前記物理層リソースの時間の長さの大小関係に従って並び替えて優先度を設定しても良い。なお、本発明は、これに限定されない。
【０１１４】
なお、以上、本発明に関連する各部品又はモジュールについて説明したが、本発明は、これに限定されない。データ多重化のための設定装置1000は、さらに、他の部品又はモジュールを含んでも良いが、これらの部品又はモジュールの具体的な内容については、関連技術を参照することができる。
【０１１５】
上述の実施例から分かるように、論理チャネルがサポートする複数の物理層リソースの優先度に従って、データを多重化する物理層リソースを確定し、これにより、ユーザ装置において伝送する必要のある複数のトラフィック類型のデータが存在するときに、ユーザ装置のリソースに対しての使用と、ネットワーク装置のスケジューリング・インテンションとの一致性を確保することができる。
【実施例５】
【０１１６】
本発明の実施例は、さらに、通信システムを提供する。図1を参照することができるため、ここでは、実施例1〜4と同じ内容が省略される。本実施例では、通信システム100は、以下のようなものを含んでも良い。
【０１１７】
ユーザ装置102：その中には、実施例3に記載のようなデータ多重化装置900が配置される。
【０１１８】
ネットワーク装置101：その中には、実施例4に記載のデータ多重化のための設定装置1000が配置される。
【０１１９】
本発明の実施例は、さらにユーザ装置を提供するが、本発明は、これに限定されず、その他の装置であっても良い。
【０１２０】
図11は、本発明の実施例におけるユーザ装置を示す図である。図11に示すように、該ユーザ装置1100は、処理器1110及び記憶器1120を含んでも良く、記憶器1120は、データ及びプログラムを記憶し、また、処理器1110に接続される。なお、該図は、例示に過ぎず、さらに他の類型の構成を以て、前記構成に対して補充／代替を行うことで、電気通信機能又は他の機能を実現しても良い。
【０１２１】
そのうち、処理器1110は、データ多重化装置900の機能を実現するように構成されても良い。例えば、処理器1110は、次のような制御を行うように構成されても良く、即ち、データ多重化を行う必要のある論理チャネルについて、該論理チャネルがサポートする複数の物理層リソースの優先度に従って、前記複数の物理層リソースのうちからデータを多重化する物理層リソースを確定し、そのうち、前記論理チャネルは、異なるトラフィック類型のデータを複数の物理層リソースに多重化することをサポートし；及び、前記論理チャネルのデータを、確定された前記物理層リソースに多重化する。
【０１２２】
図11に示すように、該ユーザ装置1100は、さらに、通信モジュール1130、入力ユニット1140、表示器1150、電源1160などを含んでも良い。そのうち、これらの部品の機能は、現有技術と類似しているため、ここでは、その詳しい説明を割愛する。なお、ユーザ装置1100は、図11中の全ての部品を含む必要がなく、また、このような部品は、必須でもない。また、ユーザ装置1100は、さらに、図11にない部品を含んでも良い。これについては、従来技術を参照することができる。
【０１２３】
本発明の実施例は、さらに、ネットワーク装置、例えば、基地局を提供する。なお、本発明は、これに限定されず、他のネットワーク装置であっても良い。
【０１２４】
図12は、本発明の実施例におけるネットワーク装置の構成図である。図12に示すように、ネットワーク装置1200は、処理器1210（例えば、中央処理装置CPU）及び記憶器1220をふくんでも良く、記憶器1220は、処理器1210に接続される。そのうち、該記憶器1220は、各種のデータを記憶することができ、また、情報処理用のプログラム1230をさらに含んでも良く、且つ処理器1210の制御下で該プログラム1230を実行することができる。
【０１２５】
そのうち、処理器1210は、データ多重化のための設定装置1000の機能を実現するように構成されても良い。例えば、処理器1210は、プログラム1230を実行して次のような制御を行うように構成されても良く、即ち、ユーザ装置の論理チャネルのために１つ又は複数の物理層リソースを設定し、そのうち、前記論理チャネル異なるトラフィック類型のデータを複数の物理層リソースに多重化することをサポートし；及び、前記物理層リソースのために優先度を設定又は指示し、前記ユーザ装置に、前記優先度に基づいて、前記複数の物理層リソースのうちからデータを多重化する物理層リソースを確定させる。
【０１２６】
また、図12に示すように、ネットワーク装置1200は、さらに、送受信機1240、アンテナ1250などを含んでも良く、そのうち、これらの部品の機能は、従来技術に類似しているため、ここでは、その詳細な説明を省略する。なお、ネットワーク装置1200は、図12中の全ての部品を含む必要がない。また、ネットワーク装置1200は、さらに図12にない部品を含んでも良く、これについては、従来技術を参照することができる。
【０１２７】
本発明の実施例は、さらに、コンピュータ可読プログラムを提供し、そのうち、送信端又はユーザ装置で前記プログラムを実行するときに、前記プログラムは、前記送信端又はユーザ装置に、実施例1に記載のデータ多重化方法を実行させる。
【０１２８】
本発明の実施例は、さらに、コンピュータ可読プログラムを記憶した記憶媒体を提供し、そのうち、前記コンピュータ可読プログラムは、送信端又はユーザ装置に、実施例1に記載のデータ多重化方法を実行させる。
【０１２９】
本発明の実施例は、さらに、コンピュータ可読プログラムを提供し、そのうち、受信端又はネットワーク装置（例えば、基地局）中で前記プログラムを実行するときに、前記プログラムは、前記受信端又はネットワーク装置（例えば、基地局）に、実施例2に記載のデータ多重化のための設定方法を実行させる。
【０１３０】
本発明の実施例は、さらに、コンピュータ可読プログラムを記憶した記憶媒体を提供し、そのうち、前記コンピュータ可読プログラムは、受信端又はネットワーク装置（例えば、基地局）に、実施例2に記載のデータ多重化のための設定方法を実行させる。
【０１３１】
以上のユーザ装置及び方法は、ソフトウェア又はハードウェアにより実現されても良く、ハードウェアとソフトウェアとの組み合わせにより実現されても良い。本発明は、さらに、次のようなコンピュータ読み取り可能なプログラムに関し、即ち、該プログラムは、ロジック部品により実行されるときに、該ロジック部品に、上述のユーザ装置又は構造部品を実現させ、又は、該ロジック部品に、上述の各種の方法又はステップを実現させる。ロジック部品は、例えば、FPGA（Field  Programmable  Gate  Array）、マイクロプロセッサー、コンピュータに用いる処理器などであっても良い。本発明は、さらに、上述のプログラムを記憶した記憶媒体、例えば、ハードディスク、磁気ディスク、光ハードディスク、DVD、フラッシュメモリなどにも関する。
【０１３２】
また、図面に記載の機能ブロックのうちの１つ又は複数の組み合わせ及び／又は機能ブロックの１つ又は複数の組み合わせは、本願に記載の機能を実行するための汎用処理器、デジタル信号処理器（DSP）、専用の集積回路（ASIC）、フィールドプログラマブルゲートアレイ（FPGA）又は他のプログラム可能な論理部品、ディスクリートゲート又はトランジスタ論理部品、ディスクリートハードウェアアセンブリ又は他の任意の適切な組む合わせとして実現されても良い。また、図面に記載の機能ブロックのうちの１つ又は複数の組み合わせ及び／又は機能ブロックの１つ又は複数の組み合わせは、さらに、計算装置の組み合わせ、例えば、DSP及びマイクロプロセッサの組み合わせ、複数のマイクロプロセッサ、DSPと通信により接続される１つ又は複数のマイクロプロセッサ又は他の任意のこのような構成として構成されても良い。
【０１３３】
以上、本発明の好ましい実施形態を説明したが、本発明はこのような実施形態に限定されず、本発明の趣旨を離脱しない限り、本発明に対するあらゆる変更は本発明の技術的範囲に属する。
【図１】
2019537375.tif 000007
【図２】
2019537375.tif 000008
【図３】
2019537375.tif 000009
【図４】
2019537375.tif 000010
【図５】
2019537375.tif 000011
【図６】
2019537375.tif 000012
【図７】
2019537375.tif 000013
【図８】
2019537375.tif 000014
【図９】
2019537375.tif 000015
【図１０】
2019537375.tif 000016
【図１１】
2019537375.tif 000017
【図１２】
2019537375.tif 000018
【手続補正書】
【提出日】令和1年5月24日(2019.5.24)
【手続補正１】
【補正対象書類名】特許請求の範囲
【補正対象項目名】全文
【補正方法】変更
【補正の内容】
【特許請求の範囲】
【請求項１】
データ多重化装置であって、
複数の指令を記憶している記憶器；及び
前記記憶器に接続され、かつ前記指令を実行して、
データ多重化を行う必要がある論理チャネルについて、前記論理チャネルがサポートする複数の物理層リソースの優先度に従って、設定及び／又はスケジューリングされている複数の物理層リソースのうちからデータを多重化する物理層リソースを確定し、前記論理チャネルは、トラフィック類型に対応するデータを前記複数の物理層リソースに多重化することをサポートし；及び
前記論理チャネルのデータを、確定された前記物理層リソースに多重化すること
を実現するように構成される処理器を含む、データ多重化装置。
【請求項２】
請求項1に記載のデータ多重化装置であって、
前記処理器は、さらに、複数の論理チャネルのバッファにおいて、送信する必要のあるデータが存在するときに、異なる論理チャネルの優先度に従って、データ多重化を行う論理チャネルを確定する、データ多重化装置。
【請求項３】
請求項1に記載のデータ多重化装置であって、
前記物理層リソースの優先度は、ネットワーク装置により設定され、又は、予め定義される、データ多重化装置。
【請求項４】
請求項3に記載のデータ多重化装置であって、
前記ネットワーク装置は、シグナリングにより、１つ又は複数の論理チャネル、トラフィック類型、又は無線接続に対応する複数の物理層リソースの優先度を設定し；
前記ネットワーク装置は、論理チャネル、トラフィック類型又は無線接続を確立するときに、対応する複数の物理層リソースの優先度を設定し；又は
１つ又は複数の論理チャネル、トラフィック類型、又は無線接続に対応する複数の物理層リソースの優先度が予め定義される、データ多重化装置。
【請求項５】
請求項1に記載のデータ多重化装置であって、
前記物理層リソースの優先度は、ネットワーク装置が送信するスケジューリング情報により指示される、データ多重化装置。
【請求項６】
請求項5に記載のデータ多重化装置であって、
前記スケジューリング情報は、前記ネットワーク装置が送信する物理下りリンク制御チャネル中の下りリンク制御情報であり、
前記下りリンク制御情報により前記物理層リソースの属する優先度を指示する、データ多重化装置。
【請求項７】
請求項1に記載のデータ多重化装置であって、
前記複数の物理層リソースの優先度は、前記物理リソースの時間の長さに従って設定される、データ多重化装置。
【請求項８】
請求項7に記載のデータ多重化装置であって、
前記時間の長さは、前記物理層リソースの伝送時間間隔の長さ、前記物理層リソースが占めるシンボルの個数、又は前記物理層リソースが占める絶対時間の長さを含む、データ多重化装置。
【請求項９】
請求項3に記載のデータ多重化装置であって、
前記物理層リソースの時間の長さに優先度を設定又は定義し；
前記物理層リソースの時間の長さに対応する索引に優先度を設定又は定義し；
前記物理層リソースの時間の長さの数値範囲に優先度を設定又は定義し；
前記物理層リソースの時間の長さの数値範囲に対応する索引に優先度を設定又は定義し；又は
前記物理層リソースの時間の長さの大小関係に従って並べ替えて優先度を設定又は定義する、データ多重化装置。
【請求項１０】
請求項1に記載のデータ多重化装置であって、
前記論理チャネルは、複数の論理チャネルのうちの１つであり、
前記複数の論理チャネルは、異なるトラフィック類型に対応する少なくとも２つの論理チャネルを含む、データ多重化装置。
【請求項１１】
データ多重化のための設定装置であって、
複数の指令を記憶している記憶器；及び
前記記憶器に接続され、かつ前記指令を実行して
ユーザ装置の論理チャネルのために１つ又は複数の物理層リソースを設定し、前記論理チャネルは、トラフィック類型に対応するデータを複数の物理層リソースに多重化することをサポートし；及び
前記物理層リソースのために優先度を設定又は指示し、前記優先度は、前記ユーザ装置により、前記複数の物理層リソースのうちからデータを多重化する物理層リソースを確定するために用いられる
ことを実現するように構成される処理器を含む、設定装置。
【請求項１２】
請求項11に記載の設定装置であって、
前記処理器は、シグナリングにより、１つ又は複数の論理チャネル、トラフィック類型又は無線接続に対応する複数の物理層リソースの優先度を設定し；又は
論理チャネル、トラフィック類型又は無線接続を確立するときに、前記処理器は、対応する複数の物理層リソースの優先度を設定する、設定装置。
【請求項１３】
請求項11に記載の設定装置であって、
前記ユーザ装置にスケジューリング情報を送信する送信ユニットをさらに含み、
前記物理層リソースの優先度は、前記スケジューリング情報により指示される、設定装置。
【請求項１４】
請求項13に記載の設定装置であって、
前記スケジューリング情報は、前記送信ユニットが送信する物理下りリンク制御チャネル中の下りリンク制御情報であり、
前記下りリンク制御情報により前記物理層リソースの属する優先度を指示する、設定装置。
【請求項１５】
請求項11に記載の設定装置であって、
前記複数の物理層リソースの優先度は、前記物理層リソースの時間の長さに従って設定される、設定装置。
【請求項１６】
請求項15に記載の設定装置であって、
前記時間の長さは、前記物理層リソースの伝送時間間隔の長さ、前記物理層リソースが占めるシンボルの個数、又は前記物理層リソースが占める絶対時間の長さを含む、設定装置。
【請求項１７】
請求項11に記載の設定装置であって、
前記処理器は、
前記物理層リソースの時間の長さに優先度を設定し；
前記物理層リソースの時間の長さに対応する索引に優先度を設定し；
前記物理層リソースの時間の長さの数値範囲に優先度を設定し；
前記物理層リソースの時間の長さの数値範囲に対応する索引に優先度を設定し；又は
前記物理層リソースの時間の長さの大小関係に従って並べ替えて優先度を設定する、設定装置。
【請求項１８】
請求項11に記載の設定装置であって、
前記論理チャネルは、複数の論理チャネルのうちの１つであり、
前記複数の論理チャネルは、異なるトラフィック類型に対応する少なくとも２つの論理チャネルを含む、設定装置。
【請求項１９】
通信システムであって、
ユーザ装置及びネットワーク装置を含み、
前記ユーザ装置は、データ多重化を行う必要がある論理チャネルについて、前記論理チャネルがサポートする複数の物理層リソースの優先度に従って、設定及び／又はスケジューリングされている複数の物理層リソースのうちからデータを多重化する物理層リソースを確定し、前記論理チャネルは、トラフィック類型に対応するデータを前記複数の物理層リソースに多重化することをサポートし；及び、前記論理チャネルのデータを、確定された前記物理層リソースに多重化し、
前記ネットワーク装置は、前記ユーザ装置の論理チャネルのために１つ又は複数の物理層リソースを設定し；及び、前記物理層リソースのために優先度を設定又は指示する、通信システム。
【国際調査報告】
2019537375.tif 000019
2019537375.tif 000020
2019537375.tif 000021
2019537375.tif 000022